(57)【要約】【課題】簡素な構成によって、供給される電源電圧に応じて圧縮機等の一次側機器の保護を図ることができるショーケースを提供する。【解決手段】本発明のショーケース１は、電源ＡＣが一次側に接続されたトランス３１と、トランス３１の一次側及び二次側にそれぞれ接続された負荷２６Ｍ、３３、１９Ｍ、２８Ｍと、各負荷への通電を制御する制御装置Ｃとを備え、制御装置Ｃは、トランス３１の二次側電圧を監視しており、トランス３１の二次側に接続された負荷への通電の状況と当該二次側電圧の値とに基づいて電源電圧の異常を判別し、異常と判断された場合にはトランス３１の一次側に接続された負荷２６Ｍへの通電を停止し、又は、通電率を低下させる。【選択図】図２
2009236405.tif 000002
【特許請求の範囲】
【請求項１】
電源が一次側に接続されたトランスと、前記トランスの一次側及び二次側にそれぞれ接続された負荷と、各負荷への通電を制御する制御装置とを備えたショーケースにおいて、
該制御装置は、前記トランスの二次側電圧を監視しており、前記トランスの二次側に接続された前記負荷への通電の状況と当該二次側電圧の値とに基づいて前記電源電圧の異常を判別し、異常と判断された場合には前記トランスの一次側に接続された負荷への通電を停止し、又は、通電率を低下させることを特徴とするショーケース。
【請求項２】
前記制御装置は、前記電源電圧の異常を報知するための警報手段を備えることを特徴とする請求項１のショーケース。
【発明の詳細な説明】
【技術分野】
【０００１】
本発明は、電源に接続されて、圧縮機や送風機、電気ヒータ等の負荷に電源を供給するショーケースに関するものである。
【背景技術】
【０００２】
従来よりスーパーマーケットやコンビニエンスストアなどの店舗に設置されるショーケースは、内部に配設される圧縮機や送風機などのＡＣ負荷や、電子膨張弁等のＤＣ負荷への給電を制御装置によって制御している。設置箇所において、ショーケースに接続されるコンセントは、一般にＡＣ１００Ｖであり、電気回路を構成するトランスの一次側に圧縮機などのＡＣ負荷が接続され、トランスの二次側に電子膨張弁などのＤＣ負荷や、更に分圧回路を介して制御装置が接続されている。
【０００３】
そして、当該制御装置によって、各リレー接点を開閉制御し、圧縮機や送風機、電子膨張弁などの機器への通電を制御している（例えば特許文献１参照）。
【特許文献１】特開平８−１２１９２６号公報
【発明の開示】
【発明が解決しようとする課題】
【０００４】
一方、ショーケースへの給電を行う電源電圧は、地域によって変動し、特に海外において安定した電源供給が得られない場合がある。他方、ショーケースに配設される圧縮機などの一次側機器には、予め使用電源範囲が定められている場合がある。
【０００５】
従来のショーケースでは、圧縮機等に供給される電源電圧を直接検出する手段を備えていないため、圧縮機等の一次側機器に、使用電源範囲を逸脱した電圧、特に低電圧が印加されることがある。これによって、圧縮機等の一次側機器が徐々に損傷していき、原因不明で動作不良を招来する問題があった。
【０００６】
そこで、一次側において供給される電源電圧を検出する手段を備えた場合、当該一次側電圧を降圧して、整流し、制御装置に入力させる必要がある。この場合、別途トランスや整流回路が必要となり、部品点数の増大や、生産性の低下を招く問題があった。
【０００７】
本発明は従来の技術的課題を解決するために成されたものであり、簡素な構成によって、供給される電源電圧に応じて圧縮機等の一次側機器の保護を図ることができるショーケースを提供する。
【課題を解決するための手段】
【０００８】
本発明のショーケースは、電源が一次側に接続されたトランスと、トランスの一次側及び二次側にそれぞれ接続された負荷と、各負荷への通電を制御する制御装置とを備えたものであって、制御装置は、トランスの二次側電圧を監視しており、トランスの二次側に接続された負荷への通電の状況と当該二次側電圧の値とに基づいて電源電圧の異常を判別し、異常と判断された場合にはトランスの一次側に接続された負荷への通電を停止し、又は、通電率を低下させることを特徴とする。
【０００９】
請求項２の発明のショーケースは、上記発明において、制御装置は、電源電圧の異常を報知するための警報手段を備えることを特徴とする。
【発明の効果】
【００１０】
本発明によれば、電源が一次側に接続されたトランスと、トランスの一次側及び二次側にそれぞれ接続された負荷と、各負荷への通電を制御する制御装置とを備えたショーケースにおいて、制御装置は、トランスの二次側電圧を監視しており、トランスの二次側に接続された負荷への通電の状況と当該二次側電圧の値とに基づいて電源電圧の異常を判別し、異常と判断された場合にはトランスの一次側に接続された負荷への通電を停止し、又は、通電率を低下させるので、格別に制御装置に入力させるためのトランスや整流回路を設けることなく、ＤＣ負荷に給電するためのトランスの二次側電圧で電源電圧の変動を判別し、これに基づきトランスの一次側に接続された負荷に対し、予め定められた使用電源範囲を逸脱した電源が印加される不都合を回避することが可能となる。
【００１１】
これにより、電源電圧の変動によるＡＣ負荷へのダメージを軽減することができ、当該ＡＣ負荷を保護でき、長寿命化を図ることが可能となる。
【００１２】
また、異常と判断された場合には、トランスの一次側に接続された負荷への通電率を低下させることで、当該一次側に接続された負荷へのダメージを低減しつつ、継続した冷却運転を実現することが可能となるため、ショーケース庫内にて貯蔵される物品の劣化を抑制することが可能となる。
【００１３】
請求項２の発明によれば、上記発明に加えて、制御装置は、電源電圧の異常を報知するための警報手段を備えるので、早期に電源電圧の異常を報知することが可能となり、当該異常に対応することが可能となる。
【発明を実施するための最良の形態】
【００１４】
以下、図面に基づき本発明の実施形態を詳細に説明する。図１は本発明を適用した実施例のショーケース１の縦断側面図を示している。実施例のショーケース１は、コンビニエンスストアやスーパーマーケットなどの店舗に設置される前面に開口を有するオープンショーケースである。
【００１５】
ショーケース１は、前面に開口する断面略コ字状の断熱壁３と、その両側に取り付けられる側板４、４によって本体２が構成されている。この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。
【００１６】
また、背面パネル６の下端には、前方に延在するデッキパン１０が設けられており、これら背面パネル６、天面パネル７及びデッキパン１０の内側に陳列室１１が構成されている。この陳列室１１内には、複数段の棚装置１２が架設されている。そして、デッキパン１０の下方には背面ダクト９に連通してその一部を構成する下部ダクト１４が構成されている。
【００１７】
背面ダクト９の上端は陳列室１１の前面開口上縁に位置する冷気吐出口１６に連通し、下部ダクト１４の前端は陳列室１１の前面開口下縁に位置すると共に、複数のスリットから成る冷気吸込口１７に連通している。また、デッキパン１０の下方の下部ダクト１４内には冷気循環用送風機（ＤＣ）１９が配設され、陳列室１１後方の背面ダクト９内には後述する圧縮機２６や凝縮器２７と共に冷凍サイクルを構成する蒸発器１５が縦設されている。
【００１８】
一方、断熱壁３の下側には機械室２５が構成されており、この機械室２５内には圧縮機２６と、凝縮器２７と、凝縮器用送風機（ＤＣ）２８等が設置されると共に、電源や制御基板を収納した図示しない電装箱も配設される。係る圧縮機２６と、凝縮器２７と、減圧装置としての図示しない電子膨張弁と、蒸発器１５等が環状に接続されて所謂冷凍サイクルを構成している。
【００１９】
次に、図２のショーケース１の電気回路図を参照して、本実施例におけるショーケース１の電気回路について説明する。交流電源ＡＣには、ＡＣ１００Ｖ電源を降圧するトランス３１が接続され、このトランス３１の一次側には、交流負荷である圧縮機２６の圧縮機モータ２６Ｍがリレー接点３０と直列に接続されている。当該リレー接点３０のリレーの励磁コイルは、制御装置Ｃに接続されている。
【００２０】
トランス３１の二次側には、ダイオードブリッジから成る全波整流回路３２が接続されている。この整流回路３２の出力（ＤＣ１２Ｖ）にはＤＣ負荷である上記電子膨張弁のモータ３３（負荷１）や、ＤＣ送風機１９のモータ１９Ｍ（負荷２）、更には、ＤＣ送風機２８のモータ２８Ｍ（負荷３）がそれぞれのリレー接点３５、３６、３７と直列に接続されている。当該リレー接点３５、３６、３７のリレーの励磁コイルは、制御装置Ｃに接続されている。
【００２１】
そして、整流回路３２の出力側には、二次側電圧を制御装置Ｃにて検出するための検出回路を構成する分圧回路３８が接続され、この分圧回路３８の出力（ＤＣ５Ｖ）が制御装置Ｃに接続されている。尚、この制御装置Ｃには、出力側に上記各リレー接点３０、３５、３６、３７の励磁コイルと、警報手段を構成するブザー３９が接続されていると共に、入力側には、上記陳列室１１内の庫内温度を検出する図示しない温度センサが接続されている。尚、本実施例では、警報手段としてブザー３９を採用しているが、これに限定されるものではなく、異常表示を行う表示部であってもよく、両警報手段を備えてもよい。
【００２２】
以上の構成で、動作について説明する。制御装置Ｃは、温度センサの出力に基づき、冷却運転を実行する。即ち、制御装置Ｃは、入力された庫内温度が所定の設定温度の上限値に達すると、圧縮機２６の圧縮機モータ２６Ｍのリレー接点３０の励磁コイルに通電し、当該リレー接点３０を閉じる。これにより、圧縮機２６Ｍには交流電源ＡＣが印加されて運転される。
【００２３】
そして、制御装置Ｃは、入力された庫内温度が所定の設定温度の下限値に達すると、圧縮機２６の圧縮機モータ２６Ｍのリレー接点３０の励磁コイルを非通電とし、当該リレー接点３０を開放する。これにより、圧縮機２６Ｍも非通電となって停止される。
【００２４】
同様に、制御装置Ｃは、入力された庫内温度等に基づいて各リレー接点３５、３６、３７の励磁コイルへの通電制御を行う。これにより、交流電源ＡＣからの電源電圧をトランス３１において降圧し、全波整流回路３２にて整流された直流電圧（１２Ｖ）を、各電子膨張弁３３、送風機モータ１９Ｍ、２８Ｍに通電制御し、当該電子膨張弁３３の開閉制御、及び各送風機モータ１９Ｍ、２８Ｍの運転制御を行う。
【００２５】
ここで、制御装置Ｃは、分圧回路３８を介してトランス３１の二次側電圧が入力されている。このとき、当該制御装置Ｃに入力される二次側電圧は、同様にトランス３１の二次側に接続される各ＤＣ負荷（この場合電子膨張弁のモータ３３、送風機モータ１９Ｍ、２８Ｍ）への通電の状況によって異なる。
【００２６】
即ち、二次側負荷（各ＤＣ負荷）が全てＯＦＦの状態（無負荷の状態）では、交流電圧が正常のＡＣ１００Ｖであった場合、トランス３１にて降圧され、全波整流回路３２にて直流に変換されたＤＣ１２Ｖは、更に分圧回路３８にてＤＣ５Ｖにまで降圧されて制御装置Ｃに入力される。
【００２７】
これに対し、上記の場合において、市場における電源電圧の変動などによって交流電圧が高電圧であった場合、トランス３１にて降圧され、全波整流回路３２にて直流に変換されたＤＣ１２Ｖを超える直流電圧は、更に分圧回路３８にてＤＣ５Ｖを超える直流電圧として制御装置Ｃに入力される。
【００２８】
そのため、制御装置Ｃは、トランス３１の二次側電圧の値を分圧回路３８を介して入力される値により監視し、二次側負荷の状況に応じて設定される閾値に基づき、即ち、全てＯＦＦの状態では、正常のＤＣ５Ｖである閾値を超えたら、電源電圧が所定の高電圧になったものと判断し、制御装置Ｃは、圧縮機２６の圧縮機モータ２６Ｍのリレー接点３０の励磁コイルを非通電とし、当該リレー接点３０を開放する。これにより、圧縮機２６Ｍも非通電となって停止される。
【００２９】
これにより、電源電圧が所定の電圧値を超える高電圧異常となっていることを、制御装置Ｃは、トランス３１、整流回路３２、分圧回路３８を介して入力される直流電圧に基づき判断し、圧縮機２６の運転を停止する。従って、格別にトランス３１の一次側の電圧を制御装置Ｃに入力させるためのトランスや整流回路を設けることなく、ＤＣ負荷に給電するためのトランス３１の二次側電圧で電源電圧の変動を判別し、これに基づきトランス３１の一次側に接続された負荷に対し、予め定められた使用電源範囲、この場合、ＡＣ１００Ｖを逸脱した電源が印加される不都合を回避することが可能となる。
【００３０】
これにより、電源電圧の変動によるＡＣ負荷へのダメージを軽減することができ、当該ＡＣ負荷（この場合圧縮機２６）の長寿命化を図ることが可能となる。
【００３１】
また、本実施例では、電源電圧の変動による異常判別が行われた場合、制御装置Ｃは、警報手段としてのブザー３９により当該異常が発生したことを報知する。
【００３２】
これにより、早期に電源電圧の異常を報知することが可能となり、当該異常に対応することが可能となる。
【００３３】
上記において、制御装置Ｃに入力される直流電圧は、トランス３１の二次側に接続されるそれぞれの負荷の通電状態に応じて異なる。そのため、トランス３１の二次側に接続された負荷のうち何れか一つのリレー接点３５、３６又は３７が動作されて、当該負荷に通電されている場合には、制御装置Ｃは、分圧回路３８を介して入力される電圧値の上記閾値を例えばＤＣ４．３Ｖとする。
【００３４】
そのため、トランス３１の二次側に接続された負荷の内の何れか一つ、例えば電子膨張弁のモータ３３のみに通電されている状態において、制御装置Ｃは、分圧回路３８を介して入力される電圧値が上記閾値であるＤＣ４．３Ｖを超える場合には、電源電圧が所定の高電圧になったものと判断し、上記と同様にトランス３１の一次側に接続される負荷（圧縮機モータ２６Ｍ）への通電を停止する。
【００３５】
同様に、トランス３１の二次側に接続された負荷の内何れか二つのリレー接点３５、３６、３７が動作されて、当該負荷に通電されている場合には、制御装置Ｃは、分圧回路３８を介して入力される電圧値の閾値を更に降下させ、例えばＤＣ３．７Ｖとし、本実施例では、トランス３１の二次側に接続された負荷の全てのリレー接点３５、３６、３７が動作されて、当該負荷に通電されている場合には、係る閾値を、例えばＤＣ３．０Ｖとする。
【００３６】
このように、制御装置Ｃは、トランス３１の二次側に接続された負荷への通電状況に応じて設定される閾値と、分圧回路３８を介して制御装置Ｃに入力される二次側電圧の値とに基づいて、電源電圧の異常を判別する。そのため、より正確に電源電圧の異常を判断することができ、異常と判断された場合には、トランス３１の一次側に接続された負荷への通電を停止する。従って、予め定められた使用電源範囲を逸脱した電源電圧がトランス３１の一次側に接続された圧縮機２６等の負荷に印加される不都合を回避することが可能となる。
【００３７】
これにより、電源電圧の変動によるＡＣ負荷（この場合圧縮機２６）へのダメージを軽減することができ、当該ＡＣ負荷を保護することで、長寿命化を図ることが可能となる。
【００３８】
尚、上記実施例では、高電源電圧の異常と判断された場合に、制御装置Ｃは、トランス３１の一次側に接続された負荷の通電を停止しているが、これに限定されるものではなく、例えば、制御装置Ｃは、トランス３１の一次側に接続された負荷（この場合圧縮機２６）への通電率を低下させることで、当該一次側に接続された負荷へのダメージを低減しつつ、継続した冷却運転を実現することが可能となる。これにより、ショーケースの陳列室１１内にて貯蔵される物品の劣化を抑制することが可能となる。
【００３９】
また、正常時、電源電圧がＡＣ１００Ｖである場合において、例えばＡＣ８５Ｖの低電源電圧である場合には、上記と同様に一次側負荷へのダメージが生じる。そのため、制御装置Ｃは、上記と同様に、電源電圧の異常を判別し、一次側負荷への通電を停止させ、ブザー３９等により異常発生の報知動作を実行する。
【００４０】
具体例として、図３に示すように、二次側負荷（各ＤＣ負荷）が全てＯＦＦの状態（無負荷の状態）では、交流電圧が正常のＡＣ１００Ｖであった場合、トランス３１にて降圧され、全波整流回路３２にて直流に変換されたＤＣ１２Ｖは、更に分圧回路３８にてＤＣ５Ｖにまで降圧されて制御装置Ｃに入力される（Ｎｏ．１）。
【００４１】
これに対し、上記の場合において、市場における電源電圧の変動などによって交流電圧が低電圧（この場合８５Ｖ）であった場合（Ｎｏ．５）、トランス３１にて降圧され、全波整流回路３２にて直流に変換された直流電圧は、ＤＣ１０となり、更に分圧回路３８にてＤＣ４．２５Ｖとして制御装置Ｃに入力される。
【００４２】
そのため、制御装置Ｃは、トランス３１の二次側電圧の値を分圧回路３８を介して入力される値により監視し、二次側負荷の状況に応じて設定される閾値に基づき、即ち、全てＯＦＦの状態では、正常範囲の下限値、この場合ＤＣ４．２５Ｖである閾値を下回ったら、電源電圧が所定の低電圧になったものと判断し、制御装置Ｃは、圧縮機２６の圧縮機モータ２６Ｍのリレー接点３０の励磁コイルを非通電とし、当該リレー接点３０を開放する。これにより、圧縮機２６Ｍも非通電となって停止される。
【００４３】
これにより、電源電圧が所定の電圧値下回る低電圧異常となっていることを、制御装置Ｃは、トランス３１、整流回路３２、分圧回路３８を介して入力される直流電圧に基づき判断し、圧縮機２６の運転を停止して、上記同様に異常発生を報知する警報動作を実行する。従って、格別にトランス３１の一次側の電圧を制御装置Ｃに入力させるためのトランスや整流回路を設けることなく、ＤＣ負荷に給電するためのトランス３１の二次側電圧で電源電圧の変動を判別し、これに基づきトランス３１の一次側に接続された負荷に対し、予め定められた使用電源範囲、この場合、ＡＣ１００Ｖを逸脱した電源が印加される不都合を回避することが可能となる。
【００４４】
これによっても、電源電圧の変動によるＡＣ負荷へのダメージを軽減することができ、当該ＡＣ負荷（この場合圧縮機２６）の長寿命化を図ることが可能となる。
【００４５】
またこの場合も、制御装置Ｃに入力される直流電圧は、トランス３１の二次側に接続されるそれぞれの負荷の通電状態に応じて異なるため、ＡＣ１００Ｖ電源電圧が印加されている場合には、トランス３１の二次側に接続された負荷の内何れか一つのリレー接点３５、３６又は３７が動作されて、当該負荷に通電されていることで、トランス３１の二次側の電圧値は、例えばＤＣ１１Ｖとなる（Ｎｏ．２）。この場合には、制御装置Ｃは、分圧回路３８を介してＤＣ約４．６Ｖが入力される。
【００４６】
そのため、トランス３１の二次側に接続された負荷の内の何れか一つ、例えば電子膨張弁のモータ３３のみに通電されている状態において、低電源電圧（例えば８５Ｖ）が印加された場合には（Ｎｏ．６）、トランス３１にて降圧され、全波整流回路３２にて直流に変換された直流電圧は、ＤＣ９Ｖとなり、更に分圧回路３８にてＤＣ３．７５Ｖとして制御装置Ｃに入力される。
【００４７】
そのため、制御装置Ｃは、分圧回路３８を介して入力される電圧値が正常範囲の下限値、係る状況ではＤＣ４．３Ｖの閾値を下回る場合には、電源電圧が所定の低電圧になったものと判断し、上記と同様にトランス３１の一次側に接続される負荷（圧縮機モータ２６Ｍ）への通電を停止する。
【００４８】
同様に、トランス３１の二次側に接続された負荷の内何れか二つのリレー接点３５、３６、３７が動作されて、当該負荷に通電されている場合には、制御装置Ｃは、分圧回路３８を介して入力される電圧値の閾値を更に降下させる。図３では、Ｎｏ．３に示すように、ＡＣ１００Ｖである場合には、トランス３１の二次側電圧は、ＤＣ１０Ｖとなり、制御装置Ｃには、ＤＣ４．２５Ｖが入力される。Ｎｏ．７に示すようにＡＣ８５Ｖの低電源電圧である場合には、トランス３１の二次側電圧は、ＤＣ８Ｖとなり、制御装置Ｃには、ＤＣ３．３Ｖが入力される。
【００４９】
そのため、制御装置Ｃは、分圧回路３８を介して入力される電圧値が正常範囲の下限値、係る状況ではＤＣ３．３Ｖの閾値を下回る場合には、電源電圧が所定の低電圧になったものと判断し、上記と同様にトランス３１の一次側に接続される負荷（圧縮機モータ２６Ｍ）への通電を停止する。
【００５０】
また、トランス３１の二次側に接続された負荷の全てのリレー接点３５、３６、３７が動作されて、当該負荷に通電されている場合には、制御装置Ｃは、分圧回路３８を介して入力される電圧値の閾値を更に降下させる。図３では、Ｎｏ．４に示すように、ＡＣ１００Ｖである場合には、トランス３１の二次側電圧は、ＤＣ９Ｖとなり、制御装置Ｃには、ＤＣ３．７５Ｖが入力される。Ｎｏ．８に示すようにＡＣ８５Ｖの低電源電圧である場合には、トランス３１の二次側電圧は、ＤＣ７Ｖとなり、制御装置Ｃには、ＤＣ２．９Ｖが入力される。
【００５１】
そのため、制御装置Ｃは、分圧回路３８を介して入力される電圧値が正常範囲の下限値、係る状況ではＤＣ２．９Ｖの閾値を下回る場合には、電源電圧が所定の低電圧になったものと判断し、上記と同様にトランス３１の一次側に接続される負荷（圧縮機モータ２６Ｍ）への通電を停止する。
【００５２】
このように、制御装置Ｃは、トランス３１の二次側に接続された負荷への通電状況に応じて設定される閾値と、分圧回路３８を介して制御装置Ｃに入力される二次側電圧の値とに基づいて、電源電圧の異常を判別する。そのため、より正確に電源電圧の異常を判断することができ、異常と判断された場合には、トランス３１の一次側に接続された負荷への通電を停止する。従って、予め定められた使用電源範囲を逸脱した電源電圧がトランス３１の一次側に接続された圧縮機２６等の負荷に印加される不都合を回避することが可能となる。
【００５３】
これにより、電源電圧の変動によるＡＣ負荷（この場合圧縮機２６）へのダメージを軽減することができ、当該ＡＣ負荷の長寿命化を図ることが可能となる。
【図面の簡単な説明】
【００５４】
【図１】本発明を適用した実施例のショーケースの縦断側面図である。
【図２】図１のショーケースの電気回路図である。
【図３】電源電圧に対するトランスの二次側負荷への通電状況に応じたＤＣ電圧を示す図である。
【符号の説明】
【００５５】
１    ショーケース
３    断熱壁
１１  陳列室
１５  蒸発器
１９  冷気循環用送風機（ＤＣ）
１９Ｍ  モータ
２６  圧縮機
２８  凝縮器用送風機（ＤＣ）
２８Ｍ  モータ
３０  リレー接点
３１  トランス
３２  全波整流回路
３３  電子膨張弁のモータ
３５、３６、３７  リレー接点
３８  分圧回路（検出回路）
３９  ブザー（警報手段）
【図１】
2009236405.tif 000003
【図２】
2009236405.tif 000004
【図３】
2009236405.tif 000005